(57)【要約】【課題】コンテナに格納された太陽光パネルをコンテナの屋根に容易に設置することができ、必要とされる場所での電力需要に応えることができるコンテナ収納移動型発電装置を提供する。【解決手段】このコンテナ収納移動型発電装置は、貨物輸送用の規格寸法のコンテナ１と、コンテナ内に収納可能で且つコンテナ１の屋根１ａに設置されて太陽光発電を行う太陽光パネル２とを備える。太陽光パネル２にローラーが取り付けられ、コンテナ１の屋根１ａに外部レール７が設けられ、コンテナ内部の天井に内部レール９が設けられている。コンテナ１の戸３の開き状態で外部レール７と内部レール９とを連結する連結レール部材１０が連結解除可能に設けられ、内部レール９と連結レール部材１０と外部レール７とにわたって太陽光パネル２がローラーを介して案内されて移動可能に構成されている。【選択図】図１
2020174508.tif 000002
【特許請求の範囲】
【請求項１】
貨物輸送用の規格寸法のコンテナと、このコンテナ内に収納可能で且つ前記コンテナの屋根に設置されて太陽光発電を行う太陽光パネルと、を備えたコンテナ収納移動型発電装置であって、
前記太陽光パネルにローラーが取り付けられ、
前記コンテナの屋根に外部レールが設けられ、
前記コンテナ内部の天井に内部レールが設けられ、
前記コンテナの戸の開き状態で、前記外部レールと前記内部レールとを連結する連結レール部材が連結解除可能に設けられ、前記内部レールと前記連結レール部材と前記外部レールとにわたって前記太陽光パネルが前記ローラーを介して案内されて移動可能に構成されているコンテナ収納移動型発電装置。
【請求項２】
請求項１に記載のコンテナ収納移動型発電装置において、前記太陽光パネルの対向する二辺に、複数の前記ローラーが前記二辺に直交する方向の軸心回りに回転自在にそれぞれ取り付けられ、前記内部レール、前記外部レールおよび前記連結レール部材はそれぞれ内部がレール溝となる断面溝形であり、前記太陽光パネルにつき、前記複数の前記ローラーの少なくともいずれか一つが、前記内部レール、前記外部レールおよび前記連結レール部材のいずれか一つの前記レール溝内に案内されると共に、他のローラーの少なくともいずれか一つが、前記内部レール、前記外部レールおよび前記連結レール部材のいずれか一つの外側面に案内されるコンテナ収納移動型発電装置。
【請求項３】
請求項２に記載のコンテナ収納移動型発電装置において、前記内部レール、前記外部レールおよび前記連結レール部材は、それぞれウェブとこのウェブの両側縁部からそれぞれ折れ曲がって延びるフランジとで前記レール溝が形成され、前記内部レール、前記外部レールおよび前記連結レール部材の組は、前記レール溝の開口面が互いに対向するように一対設けられ、前記各組のレール溝に、前記太陽光パネルの前記二辺に取り付けられた複数対の前記ローラーが案内されるものであり、
前記連結レール部材は、前記外部レールの前記レール溝に繋がるレール溝を有する上側のレール部と、前記内部レールの前記レール溝に繋がるレール溝を有する下側のレール部と、これらレール部のレール溝の先端部に繋がるレール溝を有する中央のレール部とを備え、
前記複数の前記ローラーにおける移動方向前側のローラーは、前記連結レール部材の前記レール溝内に案内され、前記連結レール部材における前記中央のレール部の外側の前記フランジに、前記移動方向前側のローラーを前記レール溝内から離脱させて前記太陽光パネルを姿勢変更可能にする切欠きが形成されているコンテナ収納移動型発電装置。
【請求項４】
請求項３に記載のコンテナ収納移動型発電装置において、前記複数の前記ローラーにおける移動方向後側のローラーは、前記連結レール部材における前記ウェブの外側面に案内され、前記連結レール部材における前記中央のレール部の外側の前記フランジに、前記移動方向後側のローラーを前記レール溝内に挿入する切欠きが形成されているコンテナ収納移動型発電装置。
【請求項５】
請求項１または請求項２に記載のコンテナ収納移動型発電装置において、前記連結レール部材は、円弧状に形成されているコンテナ収納移動型発電装置。
【請求項６】
請求項１ないし請求項５のいずれか１項に記載のコンテナ収納移動型発電装置において、前記外部レールに、前記太陽光パネルの移動を規制するストッパ部材が設けられているコンテナ収納移動型発電装置。
【請求項７】
請求項１ないし請求項６のいずれか１項に記載のコンテナ収納移動型発電装置において、前記太陽光パネルを収納した前記コンテナ内に、風力発電装置および水力発電装置のいずれか一方または両方が収納されたコンテナ収納移動型発電装置。
【発明の詳細な説明】
【技術分野】
【０００１】
この発明は、発展途上国の未電化地域または災害等の被災地域での電力供給源として、簡易に設置できると共に、容易に固定できるコンテナ収納移動型発電装置に関する。
【背景技術】
【０００２】
従来の移動型発電装置として、特許文献１〜４が提案されている。
特許文献１には、輸送用ボックスの側面が太陽光パネルであり、それらを上向きに展開し、ボックスのフレーム上に傾けて上げること、およびフレームの一辺に風力発電機を取り付けることが記載されている。
特許文献２には、連結された太陽光パネルを収納容器から取り出し、支持柱に取り付けて支持柱を持ち上げることにより、太陽光パネルを収納容器の上部に展開することが記載されている。
【０００３】
特許文献３には、筐体を輸送コンテナ上に積載可能な大きさに形成し、その筐体に太陽光パネルを配置すると共に、筐体の四隅にはコンテナの荷役装置に接続可能な隅金具が配置され、輸送コンテナと一体化できることが記載されている。
特許文献４には、輸送コンテナの屋根または壁面に太陽光パネルを取り付け、前記太陽光パネルを設置した際にその傾斜角度を可変できることが記載されている。
【先行技術文献】
【特許文献】
【０００４】
【特許文献１】特許第４７９１３５３号公報
【特許文献２】特開２０１１−２３４１１号公報
【特許文献３】特開２０１２−１１５２号公報
【特許文献４】特開２０１４−１２５８０８号公報
【発明の概要】
【発明が解決しようとする課題】
【０００５】
発展途上国の未電化地域または災害等の被災地域での電力供給を行うための電源システムの要件としては、輸送の容易性と、設置の容易性、発電能力が重要である。
特許文献１では、１ユニットの大きさは１ｍ角の立方体を想定しており、コンテナに収納して輸送するという観点では優位に働く。その一方、太陽光パネルは側面に表を向いて貼り付けられた形態を採るため、太陽光パネルを設置するまでの間に転倒するなど、外部から衝撃を受けた際に太陽光パネルが破壊される可能性がある。
【０００６】
特許文献２では、太陽光パネルはコンテナ内に収納されており、太陽光パネルが輸送時に破壊される可能性は低いが、支持柱はコンテナの外側に取り付けておく必要がある。また、太陽光パネルの支持は連結部のみであり、強風時などに太陽光パネルが揺動するなどして外れてしまう危険性がある。
特許文献４では、太陽光パネルの表面は保護されておらず、コンテナ輸送時の段積みは考慮されていない。
特許文献３では、コンテナ船に積載されたコンテナの最上部に太陽光パネルを搭載したモジュールを積載し、太陽光発電することを目的としており、コンテナ船以外での発電を想定していない。
【０００７】
この発明の目的は、コンテナに格納された太陽光パネルをコンテナの屋根に容易に設置することができ、必要とされる場所での電力需要に応えることができるコンテナ収納移動型発電装置を提供することである。
【課題を解決するための手段】
【０００８】
この発明のコンテナ収納移動型発電装置は、貨物輸送用の規格寸法のコンテナと、このコンテナ内に収納可能で且つ前記コンテナの屋根に設置されて太陽光発電を行う太陽光パネルと、を備えたコンテナ収納移動型発電装置であって、
前記太陽光パネルにローラーが取り付けられ、
前記コンテナの屋根に外部レールが設けられ、
前記コンテナ内部の天井に内部レールが設けられ、
前記コンテナの戸の開き状態で、前記外部レールと前記内部レールとを連結する連結レール部材が連結解除可能に設けられ、前記内部レールと前記連結レール部材と前記外部レールとにわたって前記太陽光パネルが前記ローラーを介して案内されて移動可能に構成されている。
前記「貨物輸送用の規格寸法のコンテナ」は、少なくともコンテナを輸送する国内の標準規格であればよいが、例えば、前記国内の行政機関または国際標準化機構（ＩＳＯ）等の国際的な機関で定められた規格である。
【０００９】
この構成によると、コンテナの戸の開き状態で、外部レールと内部レールとを連結する連結レール部材が連結解除可能に設けられたため、連結レール部材を外部レールと内部レールとから連結解除しておき、コンテナの戸を閉じた状態でコンテナを輸送し得る。このコンテナを輸送する際、コンテナ内部の天井に設けられる内部レールに、太陽光パネルが支持された状態でコンテナを必要とされる場所に容易に輸送することができる。コンテナの輸送時に太陽光パネルはコンテナに格納されているため、外部から衝撃などを受けることなく太陽光パネルを容易に輸送し得る。前記必要とされる場所とは、例えば、太陽光パネルを使用する場所であり、発展途上国の未電化地域または災害等の被災地域である。
【００１０】
太陽光パネルをコンテナの屋根に設置するとき、コンテナの戸の開き状態で、外部レールと前記内部レールとを連結する連結レール部材が設けられる。したがって、太陽光パネルが、ローラーを介して内部レールから、順次、連結レール部材、外部レールに案内されて移動することでコンテナの屋根に容易に設置される。このように、現場での太陽光パネルの展開作業の軽減を図り、設置時間を短縮することができる。また前記と逆の手順により、太陽光パネルをコンテナ内に容易に収容し得る。
【００１１】
前記太陽光パネルの対向する二辺に、複数の前記ローラーが前記二辺に直交する方向の軸心回りに回転自在にそれぞれ取り付けられ、前記内部レール、前記外部レールおよび前記連結レール部材はそれぞれ内部がレール溝となる断面溝形であり、前記太陽光パネルにつき、前記複数の前記ローラーの少なくともいずれか一つが、前記内部レール、前記外部レールおよび前記連結レール部材のいずれか一つの前記レール溝内に案内されると共に、他のローラーの少なくともいずれか一つが、前記内部レール、前記外部レールおよび前記連結レール部材のいずれか一つの外側面に案内されてもよい。
この場合、内部レールに支持された太陽光パネルを、複数のローラーを介して、順次、連結レール部材、外部レールの各レール溝へと案内してコンテナの屋根に容易に展開し得る。前記と逆の手順により、太陽光パネルをコンテナ内に容易に収納し得る。
【００１２】
前記内部レール、前記外部レールおよび前記連結レール部材は、それぞれウェブとこのウェブの両側縁部からそれぞれ折れ曲がって延びるフランジとで前記レール溝が形成され、前記内部レール、前記外部レールおよび前記連結レール部材の組は、前記レール溝の開口面が互いに対向するように一対設けられ、前記各組のレール溝に、前記太陽光パネルの前記二辺に取り付けられた複数対の前記ローラーが案内されるものであり、
前記連結レール部材は、前記外部レールの前記レール溝に繋がるレール溝を有する上側のレール部と、前記内部レールの前記レール溝に繋がるレール溝を有する下側のレール部と、これらレール部のレール溝の先端部に繋がるレール溝を有する中央のレール部とを備え、
前記複数の前記ローラーにおける移動方向前側のローラーは、前記連結レール部材の前記レール溝内に案内され、前記連結レール部材における前記中央のレール部の外側の前記フランジに、前記移動方向前側のローラーを前記レール溝内から離脱させて前記太陽光パネルを姿勢変更可能にする切欠きが形成されていてもよい。
【００１３】
この場合、太陽光パネルの展開時に、連結レール部材の前記レール溝内に案内された移動方向前側のローラーを、中央のレール部における外側のフランジに形成された切欠きから離脱する。これにより、連結レール部材のレール溝内に残っているローラーを支点として、太陽光パネルを所望の角度に変位させて立ち上げコンテナの屋根まで持ち上げることができる。逆に、太陽光パネルの収納時には、外部レールから連結レール部材のレール溝内に案内された移動方向前側のローラーを、外側のフランジに形成された切欠きから離脱させる。これにより、連結レール部材のレール溝内に残っているローラーを支点として、太陽光パネルを所望の角度に姿勢変更させてコンテナ内に移動させることができる。
【００１４】
前記複数の前記ローラーにおける移動方向後側のローラーは、前記連結レール部材における前記ウェブの外側面に案内され、前記連結レール部材における前記中央のレール部の外側の前記フランジに、前記移動方向後側のローラーを前記レール溝内に挿入する切欠きが形成されてもよい。
【００１５】
この場合、太陽光パネルの展開時に、連結レール部材のウェブの外側面に案内された移動方向後側のローラーを、中央のレール部における外側のフランジに形成された切欠きからレール溝内に挿入する。これにより、太陽光パネルを所望の展開姿勢に維持した状態で、各ローラーを外部レールの各レール溝に円滑に導くことができる。逆に、太陽光パネルの収納時には、連結レール部材のウェブの外側面に案内された移動方向後側のローラーを、中央のレール部における外側のフランジに形成された切欠きからレール溝内に挿入することで、太陽光パネルを所望の収納姿勢に維持した状態で各ローラーを内部レールの各レール溝に円滑に導くことができる。
【００１６】
前記連結レール部材は、円弧状に形成されていてもよい。この場合、太陽光パネルに取り付けられたローラーを、円弧状の連結レール部材に沿って円滑に且つ迅速に案内することができる。
【００１７】
前記外部レールに、前記太陽光パネルの移動を規制するストッパ部材が設けられていてもよい。この場合、太陽光パネルが外部レールから不所望に離脱しないように太陽光パネルの移動を規制することができる。
【００１８】
前記太陽光パネルを収納した前記コンテナ内に、風力発電装置および水力発電装置のいずれか一方または両方が収納されてもよい。この場合、風力発電装置、水力発電装置を別のコンテナ等に収納して輸送するよりも輸送の効率を高め、また発電電力を確保する上で有利である。
【発明の効果】
【００１９】
この発明のコンテナ収納移動型発電装置は、貨物輸送用の規格寸法のコンテナと、このコンテナ内に収納可能で且つ前記コンテナの屋根に設置されて太陽光発電を行う太陽光パネルと、を備えたコンテナ収納移動型発電装置であって、前記太陽光パネルにローラーが取り付けられ、前記コンテナの屋根に外部レールが設けられ、前記コンテナ内部の天井に内部レールが設けられ、前記コンテナの戸の開き状態で、前記外部レールと前記内部レールとを連結する連結レール部材が連結解除可能に設けられ、前記内部レールと前記連結レール部材と前記外部レールとにわたって前記太陽光パネルが前記ローラーを介して案内されて移動可能に構成されている。このため、コンテナに格納された太陽光パネルをコンテナの屋根に容易に設置することができ、必要とされる場所での電力需要に応えることができる。
【図面の簡単な説明】
【００２０】
【図１】この発明の実施形態に係るコンテナ収納移動型発電装置の斜視図である。
【図２】同コンテナ内に太陽光パネルが収納された状態のコンテナの斜視図である。
【図３】同太陽光パネルが収納された状態のコンテナ内部の断面図である。
【図４】同コンテナの屋根に設けられる外部レール等の断面図である。
【図５】同コンテナ内部の天井に設けられる内部レール等の断面図である。
【図６】同外部レールと内部レールとを連結する連結レール部材が設けられたコンテナ内部の断面図である。
【図７】同連結レール部材が設けられたコンテナの斜視図である。
【図８】図７の連結レール部材等を拡大して示す部分拡大斜視図である。
【図９】同連結レール部材を説明する図である。
【図１０】同太陽光パネルが内部レールから連結レール部材に案内されて移動する状態を表す断面図である。
【図１１】同太陽光パネルを立ち上げた状態を表す断面図である。
【図１２】同太陽光パネルの姿勢をさらに変位させた状態を表す断面図である。
【図１３】同太陽光パネルを屋根まで持ち上げた状態を表す断面図である。
【図１４】移動方向後側のローラーを連結レール部材の上部の切欠きに挿入する状態を表す断面図である。
【図１５】図１の連結レール部材等を拡大して示す部分拡大斜視図である。
【図１６】一枚目の太陽光パネルを屋根に設置した状態を表す断面図である。
【図１７】二枚目の太陽光パネルを屋根に設置し、連結レール部材を取り外した状態を表す断面図である。
【図１８】複数の太陽光パネルを屋根に搭載したコンテナ収納移動型発電装置の最終形態を表す斜視図である。
【図１９】この発明の他の実施形態に係るコンテナ収納移動型発電装置の断面図である。
【図２０】この発明の他の実施形態に係るコンテナ収納移動型発電装置の断面図である。
【発明を実施するための形態】
【００２１】
［第１の実施形態］
この発明の実施形態に係るコンテナ収納移動型発電装置を図１ないし図１８と共に説明する。コンテナ収納移動型発電装置は、発展途上国の未電化地域または災害等の被災地域での電力供給源である。
図１および図１８に示すように、このコンテナ収納移動型発電装置は、コンテナ１と、このコンテナ１内に収納可能で且つコンテナ１の屋根１ａに設置されて太陽光発電を行う複数（この例では８枚）の太陽光パネル２とを備える。
【００２２】
＜コンテナ＞
図１および図２に示すように、コンテナ１は、貨物輸送用の規格寸法のコンテナである。前記貨物輸送用の規格は、少なくともコンテナ１を輸送する国内の標準規格であればよいが、例えば、前記国内の行政機関または国際標準化機構（ＩＳＯ）等の国際的な機関で定められ規格であり、この例ではＩＳＯのドライコンテナの規格における１２フィートコンテナに適合するコンテナ１を用いている。この実施形態のコンテナ１は、両側面に開口１ｂを有し、各開口１ｂを開閉する両開きの戸３がそれぞれ設けられている。
【００２３】
＜太陽光パネル２について＞
太陽光パネル２は、複数の太陽電池セル（図示せず）を並べてパネル状としたものである。図１のXV部の拡大図である図１５および図４に示すように、太陽光パネル２の左右両端部には、長方形で薄板状の金具４がそれぞれ固定され、各金具４に複数のローラー５が取り付けられている。太陽光パネル２の対向する二辺に、金具４を介して複数のローラー５が前記二辺に直交する方向の軸心回りに回転自在にそれぞれ取り付けられている。前記複数のローラー５は、各金具４の長手方向に沿って所定間隔を空けて順次配置された、小径のローラー５ａ、大径のローラー５ｂおよび小径のローラー５ｃを含む。
【００２４】
各金具４における、移動方向前側および後側に小径のローラー５ａ，５ｃが支持され、これら小径のローラー５ａ，５ｃ間に、小径のローラー５ａ，５ｃよりも外周が大径に形成された大径のローラー５ｂが設けられている。小径のローラー５ａ，５ｃは、共通部品とされている。但し、移動方向前側の小径のローラー５ａは、金具４の短手方向基端付近つまり太陽光パネル２の幅面に略沿った位置に支持され、大径のローラー５ｂおよび移動方向後側の小径のローラー５ｃは、それぞれ金具４の短手方向先端部に支持されている。
【００２５】
なお、太陽光パネル２の展開時には、移動方向前側のローラーとして小径のローラー５ａが適用され、移動方向後側のローラーとして小径のローラー５ｃが適用される。逆に、太陽光パネル２の収納時には、移動方向前側のローラーとして小径のローラー５ｃが適用され、移動方向後側のローラーとして小径のローラー５ａが適用される。以後、特に記載のない限り、太陽光パネル２の展開時を基準に説明する。
【００２６】
＜レール等について＞
図１に示すように、コンテナ１の戸３の開き状態で、後述する内部レールと連結レール部材と外部レールとにわたって太陽光パネル２が前記複数のローラー５を介して案内されて移動可能に構成される。
【００２７】
＜外部レール＞
図２〜図４に示すように、コンテナ１の屋根１ａに、前後方向（コンテナ１の奥行方向）に延びる複数（この例では５本）の取付金具６が所定間隔おきに取り付けられている。左右両側の取付金具６，６には、それぞれ１本の外部レール７が取り付けられている。右端の取付金具６には、この取付金具６の左側面に外部レール７が取り付けられ、左端の取付金具６には、この取付金具６の右側面に外部レール７が取り付けられている。その他の３本の取付金具６には、各取付金具６の左右両側面に外部レール７，７がそれぞれ取り付けられている。
【００２８】
図４に示すように、外部レール７は、内部がレール溝Ｒｍとなる断面溝形であり、ウェブＷｂと、このウェブＷｂの両側縁部からそれぞれ折れ曲がって延びるフランジＦｇ，Ｆｇとで前記レール溝Ｒｍが形成される。この外部レール７は、例えば、溝形鋼などから成る。外部レール７の組は、前記レール溝Ｒｍの開口面が互いに対向するように一対設けられ、対向するレール溝Ｒｍ，Ｒｍに、太陽光パネル２の前記二辺に取り付けられた複数対のローラー５が案内される。
【００２９】
図４、図１５および図１６に示すように、太陽光パネル２につき、外部レール７の上部に位置する一方のフランジＦｇの外側面に沿って、移動方向前側の小径のローラー５ａが案内され、外部レール７のレール溝Ｒｍ内に沿って、中央の大径のローラー５ｂおよび移動方向後側の小径のローラー５ｃがそれぞれ案内される。
【００３０】
＜内部レール＞
図５〜図７に示すように、コンテナ内部には、前後方向に延びる複数の取付金具８が天井１ｃから吊り下げられて支持され、各取付金具８に内部レール９が取り付けられている。右端の取付金具８には、この取付金具８の左側面に内部レール９が取り付けられ、左端の取付金具８には、この取付金具８の右側面に内部レール９が取り付けられている。その他の３本の取付金具８には、各取付金具８の左右両側面に内部レール９，９がそれぞれ取り付けられている。
【００３１】
図５に示すように、内部レール９は、内部がレール溝Ｒｍとなる断面溝形であり、ウェブＷｂと、このウェブＷｂの両側縁部からそれぞれ折れ曲がって延びるフランジＦｇ，Ｆｇとで前記レール溝Ｒｍが形成される。この内部レール９は、例えば、溝形鋼などから成る。外部レール９の組は、前記レール溝Ｒｍの開口面が互いに対向するように一対設けられ、対向するレール溝Ｒｍ，Ｒｍに、太陽光パネル２の前記二辺に取り付けられた複数対のローラー５が案内される。
【００３２】
図５、図６および図８に示すように、太陽光パネル２につき、内部レール９のレール溝Ｒｍ内に沿って、移動方向前側のローラー５ａおよび大径のローラー５ｂがそれぞれ案内され、内部レール９の下部に位置する一方のフランジＦｇの外側面に沿って、移動方向後側のローラー５ｃが案内される。
【００３３】
＜連結レール部材＞
図７〜図９に示すように、連結レール部材１０は、コンテナ１の戸３の開き状態で、外部レール７と内部レール９とを連結するいわゆる後付のレール部材であり連結解除可能に設けられている。連結レール部材１０は、例えば、上下に位置する取付金具６，８に着脱自在に連結されるが、上下に位置する外部レール７および内部レール９に着脱自在に連結されてもよい。
【００３４】
図８は図７のVIII部の拡大図である。図９（ａ）は、連結レール部材１０をレール溝Ｒｍ側から見た正面図、図９（ｂ）は、図９（ａ）のIX(b)-IX(b)線端面図である。図８および図９に示すように、この連結レール部材１０は、内部がレール溝Ｒｍとなる断面溝形であり、ウェブＷｂと、このウェブＷｂの両側縁部からそれぞれ折れ曲がって延びるフランジＦｇ，Ｆｇとで前記レール溝Ｒｍが形成される。この連結レール部材１０は溝形鋼等から成る。例えば、３個の溝形鋼を溶接等により固定する等して容易に連結レール部材１０を製造し得る。連結レール部材１０の組は、前記レール溝Ｒｍの開口面が互いに対向するように一対設けられ、対向するレール溝Ｒｍ，Ｒｍに、太陽光パネル２の前記二辺に取り付けられた複数対のローラー５（図６）が案内される。
【００３５】
連結レール部材１０は、外部レール７のレール溝Ｒｍ（図４）に繋がるレール溝Ｒｍを有する上側のレール部１０ａと、内部レール９のレール溝Ｒｍ（図５）に繋がるレール溝Ｒｍを有する下側のレール部１０ｂと、これらレール部１０ａ，１０ｂのレール溝Ｒｍの先端部に繋がるレール溝Ｒｍを有する中央のレール部１０ｃとを備える。
【００３６】
複数のローラー５における移動方向前側のローラー５ａは、下側のレール部１０ｂのレール溝Ｒｍ内に案内される。中央のレール部１０ｃにおける外側のフランジＦｇの下部には、前記移動方向前側のローラー５ａをレール溝Ｒｍ内から離脱させて太陽光パネル２を姿勢変更可能にする切欠き１２が形成されている。また図９および図１５に示すように、複数のローラー５における移動方向後側のローラー５ｃは、上側のレール部１０ａのレール溝Ｒｍ内に案内される。中央のレール部１０ｃにおける外側のフランジＦｇの上部には、前記移動方向後側のローラー５ｃをレール溝Ｒｍ内に挿入する切欠き１１が形成されている。各切欠き１１，１２は、それぞれ矩形孔状に形成され、小径のローラー５ａ，５ｃは離脱・挿入可能であるが、大径のローラー５ｂ（図７）を離脱できない大きさに形成されている。
【００３７】
＜太陽光パネルの設置手順＞
次に、太陽光パネル２をコンテナ１の屋根１ａに設置する手順を示す。なお以下の作業は人力で行う他に、電動機など機械を使用したり、自動運転でも行う。もちろん、太陽光パネル２の設置には、電動機等を用いることもできる。
図６〜図８に示すように、コンテナ１の戸３の開き状態で、外部レール７と内部レール９とを連結レール部材１０で連結する。次に、内部レール９に支持された太陽光パネル２を、ローラー５を介して内部レール９、連結レール部材１０に順次案内させて移動し、図８〜図１０に示すように、連結レール部材１０の下側の切欠き１２から移動方向前側の小径のローラー５ａを離脱する。
【００３８】
前記小径のローラー５ａの離脱状態において、中央の大径のローラー５ｂは切欠き１２から離脱しないので、図１１のように太陽光パネル２の姿勢を大径のローラー５ｂを支点にして所望の角度に変位させて立ち上げる。次に、図１２に示すように、大径のローラー５ｂを連結レール部材１０内に通しつつ、太陽光パネル２を屋根１ａまで持ち上げる（図１３）。次に、図１４および図１５に示すように、連結レール部材１０の上側の切欠き１１から、移動方向後側の小径のローラー５ｃを連結レール部材１０内に挿入する。
【００３９】
その後、図１６に示すように、太陽光パネル２は、外部レール７に沿って各ローラー５が案内され所定の位置まで移動する。この場合に、外部レール７の終端に、前記太陽光パネル２の移動を規制するストッパ部材１３が設けられ、このストッパ部材１３により、太陽光パネル２が外部レール７から離脱しないようになっている。図１７に示すように、同様な作業を各列につき２枚目の太陽光パネル２にも行って屋根１ａに設置し、連結レール部材を取り外す。合計８枚の太陽光パネル２を屋根に搭載した最終形態を図１８に示す。
【００４０】
このような形態を採ることにより、現場での太陽光パネル２の展開作業の軽減を図り、太陽光パネル２の設置時間を短縮することができる。予め太陽光パネル２は、架台である金具に取り付けられた状態であり、それらの配線作業を太陽光パネル２の設置前に済ませておけば、図示外の接続箱へのコネクタ接続により、太陽光発電による電力を得ることができる。
太陽光発電によって得られた電力は、図示外のコントローラに印加され、蓄電池に充電されるか、または電力が必要な負荷装置、例えば、照明器具または通信設備等に接続されて電力供給される。
【００４１】
＜作用効果＞
以上説明したコンテナ収納移動型発電装置によれば、コンテナ１の戸３の開き状態で、外部レール７と内部レール９とを連結する連結レール部材１０が連結解除可能に設けられたため、連結レール部材１０を外部レール７と内部レール９とから連結解除しておき、コンテナ１の戸３を閉じた状態でコンテナ１を輸送し得る。このコンテナ１を輸送する際、コンテナ内部の天井１ｃに設けられる内部レール９に、太陽光パネル２が支持された状態でコンテナ１を必要とされる場所に容易に輸送することができる。コンテナ１の輸送時に太陽光パネル２はコンテナ１に格納されているため、外部から衝撃などを受けることなく太陽光パネル２を容易に輸送し得る。
【００４２】
太陽光パネル２をコンテナ１の屋根１ａに設置するとき、コンテナ１の戸３の開き状態で、外部レール７と内部レール９とを連結する連結レール部材１０が設けられる。したがって、太陽光パネル２が、ローラー５を介して内部レール９から、順次、連結レール部材１０、外部レール７に案内されて移動することでコンテナ１の屋根１ａに容易に設置される。このように、現場での太陽光パネル２の展開作業の軽減を図り、設置時間を短縮することができる。また前記と逆の手順により、太陽光パネル２をコンテナ内に容易に収容し得る。
【００４３】
＜他の実施形態について＞
以下の説明においては、各実施の形態で先行して説明している事項に対応している部分には同一の参照符号を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００４４】
図１６に示すように、連結レール部材１０Ａは、円弧状に形成されていてもよい。この場合、太陽光パネル２に取り付けられた複数のローラー５を、円弧状の連結レール部材１０Ａに沿って円滑に且つ迅速に案内することができる。この場合、連結レール部材１０Ａにローラー５を挿入および離脱可能な切欠き等を設ける必要がなく、また各ローラー５を大径、小径と区別することなく共通部品として兼用化を図ることができる。したがって、装置全体のコスト低減を図れる。
【００４５】
図１７に示すように、太陽光パネルを収納したコンテナ内に、風力発電装置１４および水力発電装置１５のいずれか一方または両方が収納されてもよい。この場合、風力発電装置１４、水力発電装置１５を別のコンテナ等に収納して輸送するよりも輸送の効率を高め、また発電電力を確保する上で有利である。
【００４６】
コンテナ１は、１２フィートコンテナに限定されるものではなく、例えば、ＩＳＯのドライコンテナの規格における２０フィートコンテナ、４０フィートコンテナ、または４５フィートコンテナ等に適合するコンテナであってもよい。
【００４７】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４８】
１…コンテナ、１ａ…屋根、１ｃ…天井、２…太陽光パネル、３…戸、５…ローラー、５ａ，５ｃ…小径のローラー、５ｂ…大径のローラー、７…外部レール、９…内部レール、１０，１０Ａ…連結レール部材、１０ａ…上側のレール部、１０ｂ…下側のレール部、１０ｃ…中央のレール部、１１，１２…切欠き、１３…ストッパ部材、１４…風力発電装置、１５…水力発電装置、Ｒｍ…レール溝、Ｗｂ…ウェブ、Ｆｇ…フランジ
【図１】
2020174508.tif 000003
【図２】
2020174508.tif 000004
【図３】
2020174508.tif 000005
【図４】
2020174508.tif 000006
【図５】
2020174508.tif 000007
【図６】
2020174508.tif 000008
【図７】
2020174508.tif 000009
【図８】
2020174508.tif 000010
【図９】
2020174508.tif 000011
【図１０】
2020174508.tif 000012
【図１１】
2020174508.tif 000013
【図１２】
2020174508.tif 000014
【図１３】
2020174508.tif 000015
【図１４】
2020174508.tif 000016
【図１５】
2020174508.tif 000017
【図１６】
2020174508.tif 000018
【図１７】
2020174508.tif 000019
【図１８】
2020174508.tif 000020
【図１９】
2020174508.tif 000021
【図２０】
2020174508.tif 000022